(57)【要約】【課題】遊星キャリアを安定して回動でき、遊星歯車機構の安定性を向上できるパワーリザーブ表示機構付き時計を提供すること。【解決手段】パワーリザーブ表示機構付き時計１は、表示針と連動した第一太陽車３０と、第一太陽車３０と回転軸が同心の遊星キャリア５０と、遊星キャリア５０に回転自在に搭載された遊星車６０と、遊星キャリア５０と回転軸が同心であり、遊星車６０を挟んで遊星キャリア５０と対向配置された第二太陽車４０とを有する。遊星キャリア５０は、遊星キャリア５０が回転軸に対して傾く際に第二太陽車４０に当接するサポート部材５５を備える。【選択図】図３
2017026460.tif 000002
【特許請求の範囲】
【請求項１】
表示針と連動した第一太陽車と、
前記第一太陽車と回転軸が同心の遊星キャリアと、
前記遊星キャリアに回転自在に搭載された遊星車と、
前記遊星キャリアと回転軸が同心であり、前記遊星車を挟んで前記遊星キャリアと対向配置された第二太陽車と、を有し、
前記遊星キャリアは、前記遊星キャリアが回転軸に対して傾く際に前記第二太陽車に当接するサポート部を備える
ことを特徴とするパワーリザーブ表示機構付き時計。
【請求項２】
請求項１に記載のパワーリザーブ表示機構付き時計において、
前記サポート部は、前記遊星キャリアに取り付けられたサポート部材で構成される
ことを特徴とするパワーリザーブ表示機構付き時計。
【請求項３】
請求項１に記載のパワーリザーブ表示機構付き時計において、
前記サポート部は、前記遊星キャリアと一体に形成されている
ことを特徴とするパワーリザーブ表示機構付き時計。
【請求項４】
請求項１から請求項３のいずれか一項に記載のパワーリザーブ表示機構付き時計において、
前記サポート部は、前記遊星キャリアの表面からの高さ寸法が前記遊星車と同じ高さ寸法とされ、平面形状が前記遊星キャリアの外周に沿って円弧状に形成され、
前記サポート部の円周方向の両端部間に、前記遊星車が配置されている
ことを特徴とするパワーリザーブ表示機構付き時計。
【請求項５】
請求項１から請求項４のいずれか一項に記載のパワーリザーブ表示機構付き時計において、
駆動源であるぜんまいが収納された香箱と、
前記ぜんまいの巻上げ時に、前記香箱の香箱真からの駆動力を前記第二太陽車に伝達する香箱真かなと、
前記ぜんまいの巻戻し時に、前記香箱の香箱車からの駆動力を前記遊星キャリアに伝達する中間車と、を有する
ことを特徴とするパワーリザーブ表示機構付き時計。
【請求項６】
請求項１から請求項５のいずれか一項に記載のパワーリザーブ表示機構付き時計において、
前記サポート部は、前記遊星キャリアの回転軸回りのアンバランスを補正するバランスウェイトを兼ねている
ことを特徴とするパワーリザーブ表示機構付き時計。
【請求項７】
表示針と連動した第一太陽車と、
前記第一太陽車と回転軸が同心の遊星キャリアと、
前記遊星キャリアに回転自在に搭載された遊星車と、
前記遊星キャリアと回転軸が同心であり、前記遊星車を挟んで前記遊星キャリアと対向配置された第二太陽車と、を有し、
前記遊星キャリアは、前記遊星キャリアの回転軸回りのアンバランスを補正するサポート部を備える
ことを特徴とするパワーリザーブ表示機構付き時計。
【発明の詳細な説明】
【技術分野】
【０００１】
駆動ぜんまいの巻上げ残量を表示するパワーリザーブ表示機構を有するパワーリザーブ表示機構付き時計に関する。
【背景技術】
【０００２】
従来より、機械式時計に使用されるぜんまいの巻上げ量の残量を表示するパワーリザーブ表示機構が知られている（例えば、特許文献１参照）。
特許文献１のパワーリザーブ表示機構は、ぜんまいの角穴車および香箱車にそれぞれ輪列を接続し、ぜんまいの巻上げ量および巻戻し量を、遊星歯車機構を用いて加減算してパワーリザーブ針で表示している。
【０００３】
前記遊星歯車機構は、第一太陽車と、遊星キャリアと、遊星キャリアに回転自在に取り付けられた遊星車と、遊星車に噛み合う第二太陽車とを備えている。遊星キャリアには１つの遊星車が取り付けられている。これは、遊星車を複数設けると、遊星歯車機構を作動させるためのトルクが増大し、機械式時計の持続時間が短くなるためである。
【先行技術文献】
【特許文献】
【０００４】
【特許文献１】特開２０００−２７７３号公報
【発明の概要】
【発明が解決しようとする課題】
【０００５】
前記遊星歯車機構は、遊星キャリアに１つの遊星車のみが回転自在に取り付けられているため、遊星キャリアは回転軸に対して一方側のみに遊星車が設けられてアンバランスとなる。このため、遊星キャリアが傾きやすく、遊星キャリアが安定して回動しないため、遊星歯車機構の動作も安定しないという課題がある。
【０００６】
本発明の目的は、遊星キャリアを安定して回動でき、遊星歯車機構の安定性を向上できるパワーリザーブ表示機構付き時計を提供することにある。
【課題を解決するための手段】
【０００７】
本発明のパワーリザーブ表示機構付き時計は、表示針と連動した第一太陽車と、前記第一太陽車と回転軸が同心の遊星キャリアと、前記遊星キャリアに回転自在に搭載された遊星車と、前記遊星キャリアと回転軸が同心であり、前記遊星車を挟んで前記遊星キャリアと対向配置された第二太陽車と、を有し、前記遊星キャリアは、前記遊星キャリアが回転軸に対して傾く際に前記第二太陽車に当接するサポート部を備えることを特徴とする。
【０００８】
本発明によれば、遊星キャリアには、１つの遊星車の他にサポート部が設けられている。そして、遊星キャリアが回転軸に対して傾くと、サポート部が第二太陽車に当接する。このため、遊星キャリアはそれ以上傾くことがなく、遊星キャリアの傾斜を補正できる。すなわち、サポート部が第二太陽車に当接することにより、遊星キャリアは殆ど傾かないようになり、遊星キャリアが安定して回動し、遊星歯車機構の安定性も向上できる。
【０００９】
本発明のパワーリザーブ表示機構付き時計において、前記サポート部は、前記遊星キャリアに取り付けられたサポート部材で構成されることが好ましい。
サポート部を、遊星キャリアとは別体のサポート部材で構成すれば、遊星キャリアは従来と同じものを利用でき、コストを低減できる。また、遊星キャリアとサポート部材との材質も異ならせることができる。このため、サポート部材として、第二太陽車に当接しても遊星キャリアや第二太陽車が回転する際に抵抗となりにくい摩擦係数の小さな部材等、サポート部材に求められる特性に適した材質の部品を利用できる。
【００１０】
本発明のパワーリザーブ表示機構付き時計において、前記サポート部は、前記遊星キャリアと一体に形成されていることが好ましい。
サポート部を、遊星キャリアと一体に形成すれば、別体のサポート部材を遊星キャリアに取り付ける必要が無く、組立工数を少なくできる。
【００１１】
本発明のパワーリザーブ表示機構付き時計において、前記サポート部は、前記遊星キャリアの表面からの高さ寸法が前記遊星車と同じ高さ寸法とされ、平面形状が前記遊星キャリアの外周に沿って円弧状に形成され、前記サポート部の円周方向の両端部間に、前記遊星車が配置されていることが好ましい。
このような構成によれば、サポート部は、遊星キャリアの外周に沿って円弧状に形成され、遊星車が配置された場所以外に配置されている。また、サポート部および遊星車の遊星キャリア表面からの高さ寸法は互いに同一とされている。このため、サポート部および遊星車によって略円周状の面が形成され、遊星キャリアがどの方向に僅かに傾いても、前記サポート部および遊星車のいずれかが第二太陽車に当接して、その傾きを効果的に補正できる。
【００１２】
本発明のパワーリザーブ表示機構付き時計において、駆動源であるぜんまいが収納された香箱と、前記ぜんまいの巻上げ時に、前記香箱の香箱真からの駆動力を前記第二太陽車に伝達する香箱真かなと、前記ぜんまいの巻戻し時に、前記香箱の香箱車からの駆動力を前記遊星キャリアに伝達する中間車と、を有することが好ましい。
【００１３】
このような構成によれば、ぜんまいの巻上げ時と、ぜんまいの巻戻し時に、第一太陽車および表示針が互いに反対方向に回動し、表示針によってぜんまいの巻上げ残量を表示できる。
【００１４】
本発明のパワーリザーブ表示機構付き時計において、前記サポート部は、前記遊星キャリアの回転軸回りのアンバランスを補正するバランスウェイトを兼ねていることが好ましい。
遊星キャリアは、遊星車が搭載されているため、回転軸回りの質量バランスがアンバランスになる。このため、遊星キャリアの回転中心に対して重心位置が偏心し、遊星キャリアが傾斜しやすくなる。これに対し、本発明では、サポート部が、遊星キャリアの回転軸回りのアンバランスを補正するバランスウェイトを兼ねているので、遊星キャリアの回転軸回りのアンバランスを小さくしたり、無くすことができ、遊星キャリアを傾斜し難くできる。
【００１５】
本発明のパワーリザーブ表示機構付き時計は、表示針と連動した第一太陽車と、前記第一太陽車と回転軸が同心の遊星キャリアと、前記遊星キャリアに回転自在に搭載された遊星車と、前記遊星キャリアと回転軸が同心であり、前記遊星車を挟んで前記遊星キャリアと対向配置された第二太陽車と、を有し、前記遊星キャリアは、前記遊星キャリアの回転軸回りのアンバランスを補正するサポート部を備えることを特徴とする。
【００１６】
本発明では、遊星キャリアの回転軸回りのアンバランスを補正するバランスウェイトとして機能するサポート部を備えているので、遊星車による遊星キャリアの回転軸回りのアンバランスを小さくしたり、無くすことができ、遊星キャリアを傾斜し難くできる。
【図面の簡単な説明】
【００１７】
【図１】本発明のパワーリザーブ表示機構付き時計を示す正面図。
【図２】前記実施形態のぜんまいおよびパワーリザーブ表示輪列の要部を示す図。
【図３】前記実施形態のパワーリザーブ表示輪列の要部を示す図。
【図４】前記実施形態のパワーリザーブ表示輪列の噛み合い状態を示す平面図。
【図５】前記実施形態の遊星キャリアを示す斜視図。
【発明を実施するための形態】
【００１８】
以下、本発明の一実施形態を図面に基づいて説明する。
図１は、本発明の一実施形態にかかるパワーリザーブ表示機構付き時計１（以下、時計１と称す）の正面図である。
【００１９】
［時計の表示機構］
時計１は、外装ケース２と、外装ケース２内に設けられた文字板３、時針５、分針６、秒針７、日車８と、外装ケース２の側面に設けられたりゅうず９とを備えている。
時針５、分針６、秒針７は、文字板３の平面中心位置に回転軸が配置されている。そして、時針５、分針６、秒針７は、図２に示すぜんまい１０で駆動される輪列の筒車、２番車、４番車に取り付けられて駆動されるものである。また、日車８は、筒車から中間車を介して回転する日回し車によって駆動されるものである。
時針５、分針６、秒針７や日車８のぜんまい１０による駆動機構は、従来から周知のものであり、本発明の要部ではないため、詳細な説明は省略する。
【００２０】
［ぜんまいおよび香箱］
ぜんまい１０は、図２に示すように、香箱１１に収納されている。香箱１１は、香箱車１２と、香箱真１３を備えている。香箱真１３は、角穴車１４と一体に回転可能とされ、かつ、香箱真かな１５が取り付けられている。また、香箱車１２には、香箱かな１６が一体に固定されている。
角穴車１４は、りゅうず９や、図示しない自動巻用の回転錘等を備える巻上げ機構に接続されており、巻上げ機構によって回転されると、香箱真１３を回転して、ぜんまい１０を巻き上げるようになっている。
【００２１】
［パワーリザーブ表示機構］
時計１は、図２、３に示すように、駆動源であるぜんまい１０の持続時間を示すパワーリザーブ表示機構２０を備える。パワーリザーブ表示機構２０は、パワーリザーブ表示輪列２１と、図１に示す文字板３上に配置された扇形の目盛部２２と、パワーリザーブ用の表示針２３とを備える。目盛部２２には、持続時間を示す数字が印字されている。
【００２２】
パワーリザーブ表示輪列２１は、図２〜４に示すように、第一太陽車３０と、第二太陽車４０と、遊星キャリア５０と、遊星キャリア５０に搭載された遊星車６０と、中間車７０とを備える。第二太陽車４０および遊星キャリア５０は、遊星車６０を挟んで対向配置されている。
第一太陽車３０は、地板などに回転自在に軸支された表示真３１と、表示真３１に固定された第一太陽歯車３２とを備える。表示真３１には、表示針２３の回転軸２４が取り付けられ、第一太陽車３０の回動により表示針２３が連動して回動するように構成されている。
【００２３】
第二太陽車４０は、第二太陽歯車４１と、第二太陽歯車４１に固定された第二太陽かな４２とを備える。第二太陽かな４２は、表示真３１に回転自在に軸支され、これにより、第二太陽車４０は第一太陽車３０と同軸（同心）で回動自在に配置されている。第二太陽歯車４１は、香箱真かな１５に噛み合っている。
【００２４】
遊星キャリア５０は、地板等に回転自在に軸支され、前記第一太陽車３０、第二太陽車４０と同軸（同心）とされている。遊星キャリア５０の外周には、遊星キャリア歯車５１が形成されている。また、遊星キャリア５０の回転軸に対して偏心した位置には、ピン状の回転軸５２が固定されている。
遊星車６０は、遊星歯車６１と、遊星歯車６１に一体に固定された遊星かな６２とを備え、遊星キャリア５０の回転軸５２に回動自在に軸支されている。
遊星歯車６１は、第二太陽かな４２に噛み合い、遊星かな６２は第一太陽歯車３２に噛み合っている。
【００２５】
中間車７０は、中間歯車７１と、中間歯車７１に一体に固定された中間かな７２とを備え、地板などに回転自在に取り付けられている。
中間歯車７１は、香箱かな１６に噛み合い、中間かな７２は遊星キャリア歯車５１に噛み合っている。
【００２６】
［遊星キャリアのサポート部材］
パワーリザーブ表示輪列２１の遊星キャリア５０には、図３および図５に示すように、遊星キャリア５０の傾きを防止するサポート部材５５が取り付けられている。
すなわち、遊星キャリア５０には、回転軸５２と同一の部品で構成された２つのピン５３が固定されている。ここで、回転軸５２および２つのピン５３は、遊星キャリア５０の回動方向に沿って１２０度間隔（等間隔）で配置されている。
２つのピン５３には、サポート部材５５が取り付けられている。サポート部材５５は、プラスチック製などで構成され、遊星キャリア５０の外周に沿った円弧状の部材である。サポート部材５５には、２つの取付穴５６が形成され、前記ピン５３に取付穴５６を差し込むことで遊星キャリア５０に取り付けられている。
サポート部材５５の円弧状の内周面５５１は、第一太陽歯車３２に接触しない位置で形成され、外周面５５２は遊星キャリア歯車５１の歯底に到達しない位置で形成されている。また、サポート部材５５の円周方向の２つの端部５５３，５５４は、遊星車６０に干渉しない位置まで形成されている。すなわち、サポート部材５５と遊星車６０とは、遊星キャリア５０の平面視で重ならない位置に配置されている。
【００２７】
また、サポート部材５５の高さ寸法は、遊星車６０の高さ寸法と同一とされている。サポート部材５５および遊星車６０の高さ寸法は、回転軸５２やピン５３の遊星キャリア５０からの突出高さ寸法と略同一とされている。このため、サポート部材５５および遊星車６０の第二太陽歯車４１側の面は、同一平面上で、かつ、平面略円周状に配置されている。
さらに、遊星車６０のみを遊星キャリア５０に取り付けている場合、遊星キャリア５０の重心位置は、遊星キャリア５０の回転中心から遊星車６０側にずれた位置となる。この場合、遊星キャリア５０は、回転軸５２回りの質量バランスがアンバランスになる。
これに対し、本実施形態では、遊星キャリア５０には、遊星車６０に加えてサポート部材５５を取り付けているので、遊星キャリア５０の重心位置をその回転中心に近づけることができ、重心位置が回転中心と一致するようにサポート部材５５を設計することもできる。すなわち、サポート部材５５は、遊星キャリア５０の回転軸５２回りのアンバランスを補正するバランスウェイトとしても機能するので、遊星キャリア５０の回転軸回りのアンバランスを小さくしたり、無くすことができ、遊星キャリア５０を傾斜し難くできる。
【００２８】
［パワーリザーブ表示輪列の動作］
このようなパワーリザーブ表示輪列２１において、ぜんまい１０の巻上げ時および巻戻し時の動作について説明する。
りゅうず９等によるぜんまい１０の巻上げ操作で角穴車１４が回転されると、香箱真１３が回転してぜんまい１０が巻き上げられる。また、香箱真１３の回転に伴い香箱真かな１５が回転し、そのトルク（駆動力）は第二太陽車４０、遊星車６０、第一太陽車３０に伝達される。ここで、ぜんまい１０の巻上げ時には香箱車１２は回転が遅くほぼ停止状態のため、中間車７０および遊星キャリア５０は停止状態とされ、遊星車６０はその場で回転（自転）して第一太陽車３０を回転させる。第一太陽車３０に伝達されたトルクは表示真３１から回転軸２４に伝達され、パワーリザーブ用の表示針２３が回動する。
【００２９】
また、ぜんまい１０が巻戻る時には、角穴車１４および香箱真１３、香箱真かな１５が停止しているために、第二太陽車４０も停止している。そして、香箱車１２が回転されると、そのトルク（駆動力）は中間車７０から遊星キャリア５０、遊星車６０、第一太陽車３０に伝達される。この際、遊星車６０の遊星歯車６１が噛み合っている第二太陽かな４２が停止しているため、遊星車６０は第二太陽かな４２の回りを自転しながら公転する。これにより、遊星車６０に噛合している第一太陽歯車３２が、ぜんまい１０の巻上げ操作時とは逆方向に回転する。この第一太陽歯車３２に伝達されたトルクは、表示真３１から回転軸２４に伝達され、パワーリザーブ用の表示針２３が巻上げ操作時とは逆方向に回動する。
【００３０】
これらの巻上げ時および巻戻し時に、遊星キャリア５０が傾いた場合には、サポート部材５５または遊星車６０が第二太陽歯車４１に接するため、それ以上、遊星キャリア５０が傾くことが防止される。この遊星キャリア５０がそれ以上傾くことが防止される角度は、サポート部材５５および遊星車６０と、第二太陽歯車４１との隙間寸法で設定される。本実施形態では、設計上、僅かに隙間が設定されており、遊星キャリア５０は所定角度、例えば２°以上、傾くことがない。
なお、少なくともサポート部材５５と、第二太陽歯車４１との隙間を無くし、サポート部材５５が常に第二太陽歯車４１に接しながら、遊星キャリア５０や第二太陽歯車４１が回転するように設定してもよい。この場合は、遊星キャリア５０は、常に傾くこと無く回転することができる。
【００３１】
［実施形態の作用効果］
本実施形態では、サポート部材５５が、遊星キャリア５０および第二太陽歯車４１間のスペースに配置されているので、遊星キャリア５０が回転軸に対して、所定角度以上、傾くことを防止できる。すなわち、遊星キャリア５０が僅かに傾いた場合でも、サポート部材５５が第二太陽歯車４１の裏面に接触し、遊星キャリア５０が傾くことを防止できる。このため、遊星キャリア５０を安定して駆動でき、パワーリザーブ表示輪列２１も安定して駆動でき、表示針２３によるパワーリザーブ表示も安定させることができる。
【００３２】
さらに、サポート部材５５を取り付けることで、遊星キャリア５０の重心位置を、遊星キャリア５０の回転中心に近づけることや、回転中心と一致させることができる。このため、サポート部材５５を遊星キャリア５０のアンバランスを補正するバランスウェイトとして用いることができる。したがって、遊星キャリア５０の回転時の安定性を一層向上でき、表示針２３によるパワーリザーブ表示もより安定化させることができる。
【００３３】
サポート部材５５は、遊星車６０と同様に、遊星キャリア５０に取り付けられているので、遊星キャリア５０の回転を阻害することがなく、パワーリザーブ表示輪列２１を安定して作動できる。
また、サポート部材５５は、遊星キャリア５０に固定したピン５３に、サポート部材５５の取付穴５６を差し込むだけで設置できるので、パワーリザーブ表示輪列２１の組立性を向上できる。
さらに、サポート部材５５は、表面側に第二太陽歯車４１が配置されるため、サポート部材５５をピン５３に差し込むだけでも、サポート部材５５が遊星キャリア５０から外れることがない。このため、サポート部材５５を遊星キャリア５０に接着する必要も無く、この点でも組立性を向上できる。
【００３４】
サポート部材５５は、プラスチック製であるため、仮に遊星キャリア５０が僅かに傾いてサポート部材５５が第二太陽歯車４１に接触しても、摩擦抵抗を小さくできる。このため、遊星キャリア５０や第二太陽歯車４１の回転に負荷を与えることがなく、パワーリザーブ表示輪列２１をスムーズに作動できる。
【００３５】
さらに、回転軸５２およびピン５３は同一部品で構成されているので、遊星キャリア５０に３つのピンを取り付けてから、その１つに遊星車６０を取り付けて回転軸５２とし、他の２つにサポート部材５５を取り付けることができる。したがって、部品種類を少なくでき、かつ、組立性を向上できる。
【００３６】
［他の実施形態］
なお、本発明は前述の実施形態に限定されるものではなく、本発明の目的を達成できる範囲での変形、改良等は本発明に含まれるものである。
【００３７】
サポート部は、遊星キャリア５０とは別体のサポート部材５５を用いたものに限らず、遊星キャリア５０と一体に製造されたものでもよい。サポート部が遊星キャリア５０と一体であれば、別体のサポート部材を遊星キャリアに取り付ける必要が無く、パワーリザーブ表示輪列２１の組立工数を少なくできる。
【００３８】
遊星キャリア５０にサポート部材５５を取り付ける構造は、前記ピン５３を用いたものに限定されず、接着剤等を用いてもよい。ただし、ピン５３を用いれば、取付穴５６にピン５３を差し込むようにサポート部材５５を配置すればよく、組立性を向上できる。
【００３９】
前記実施形態では、平面形状が略円弧状の１つのサポート部材５５を遊星キャリア５０に取り付けていたが、複数のサポート部材を遊星キャリア５０に取り付けてもよい。例えば、２つのピン５３に、遊星車と略同一高さ寸法であり、かつ、略同一重量のサポート部材をそれぞれ取り付けてもよい。
さらに、サポート部材の数や配置場所、材質、大きさ（重量）などは、遊星キャリア５０が傾いた場合に、傾斜角度が所定角度以上になることを防止できるものであればよい。さらに、サポート部材の重量等は、遊星キャリア５０の重心位置を回転中心からあまり外れないようにして、遊星キャリア５０をスムーズに回転できるように設定することが望ましい。
また、遊星キャリア５０に、その回転軸回りのアンバランスを補正するバランスウェイトとして機能するサポート部を設けてもよい。
【符号の説明】
【００４０】
１…パワーリザーブ表示機構付き時計、２…外装ケース、１０…ぜんまい、１１…香箱、１２…香箱車、１３…香箱真、１４…角穴車、１５…香箱真かな、１６…香箱かな、２０…パワーリザーブ表示機構、２１…パワーリザーブ表示輪列、２２…目盛部、２３…表示針、２４…回転軸、２５…地板、３０…第一太陽車、３１…表示真、３２…第一太陽歯車、４０…第二太陽車、４１…第二太陽歯車、４２…第二太陽かな、５０…遊星キャリア、５１…遊星キャリア歯車、５２…回転軸、５３…ピン、５５…サポート部材、５６…取付穴、６０…遊星車、６１…遊星歯車、６２…遊星かな、７０…中間車、７１…中間歯車、７２…中間かな、５５１…内周面、５５２…外周面、５５３、５５４…端部。
【図１】
2017026460.tif 000003
【図２】
2017026460.tif 000004
【図３】
2017026460.tif 000005
【図４】
2017026460.tif 000006
【図５】
2017026460.tif 000007